(57)【要約】    【課題】  交換を行うことなく、磨耗に対処し得ると共に対象物品の特性や行う処理の内容に適合したものとすることができる処理具の提供。    【解決手段】  ポリプロピレンスプリットヤーンの条体束Ｗのうち緊締された中間部を内筒体Ｊ内の奥側に固定して、条体束Ｗの先端側が内筒体Ｊの先端から露出した条体束保持体Ｈとする。外筒体Ｐの内周部に、内筒体Ｊの外周部に設けた雄ねじ部Ｊ３に螺合する雌ねじ部Ｐ２を有する。外筒体Ｐは、条体束保持体Ｈに外嵌された状態で、その条体束保持体Ｈに対し、相対的に軸線の回りに回動させることにより軸線方向に無段階に変位させてその軸線方向位置を保持し得、先端から条体束Ｗの先端側を所望の長さ露出させることができる。【選択図】      図４
2015112273.tif 000002
【特許請求の範囲】
【請求項１】
条体束をその基部側において保持してなる条体束保持体と、外筒体を備えてなる処理具であって、
前記外筒体は、少なくとも先端側が開口した柱状の孔部である外筒柱状孔部を有し、
前記条体束保持体に前記外筒体が外筒柱状孔部において外嵌され、
前記外筒柱状孔部内に、前記条体束保持体により基部側が保持された条体束の先端側が、各条体の方向がその外筒柱状孔部の軸線方向に沿った状態で満たされ、
前記条体束の先端側における各条体の方向が前記外筒柱状孔部の軸線方向に沿っている場合に、同条体束の全部又は所定部分の束における各条体の先端は、所定の平面において揃うものであり、
前記外筒体は、前記条体束保持体に外嵌された状態で、同条体束保持体に対し軸線方向に変位させ得ると共に軸線方向位置を保持し得、その外筒柱状孔部の先端から前記条体束の先端側を所望の長さ露出させることができることを特徴とする処理具。
【請求項２】
上記条体束の全部又は所定部分の束を構成する条体が、先端を切り揃えたスプリットヤーンである請求項１記載の処理具。
【請求項３】
条体束保持体の外周部に雄ねじ部を有し、外筒体の外筒柱状孔部の内周部に、前記雄ねじ部に螺合する雌ねじ部を有し、
前記外筒体は、その外筒柱状孔部において前記条体束保持体に外嵌された状態で、同条体束保持体に対し、相対的に軸線の回りに回動させることにより軸線方向に無段階に変位させてその軸線方向位置を保持し得、その外筒柱状孔部の先端から前記条体束の先端側を所望の長さ露出させることができる請求項１又は２記載の処理具。
【請求項４】
条体束保持体が、内筒体と、中間部が緊締されて基端部となされた条体束を有してなり、
前記内筒体は、少なくとも先端側が開口した柱状の孔部である内筒柱状孔部を有し、
前記条体束のうち緊締された中間部が、前記内筒体における内筒柱状孔部の奥側において内筒体に対して固定され、その条体束の先端側のうち、先端から所定長を除く部分が、前記内筒柱状孔部内に、各条体の方向がその内筒柱状孔部の軸線方向に沿った状態で満たされたものである請求項１、２又は３記載の処理具。
【請求項５】
上記条体束の先端側における各条体の方向が上記外筒柱状孔部の軸線方向に沿っている場合に、同条体束の全部又は所定部分の束における各条体の先端が、外筒柱状孔部の軸線方向に対し垂直な面において揃う請求項１乃至４の何れか１項に記載の処理具。
【発明の詳細な説明】
【技術分野】
【０００１】
本発明は、衣類等の対象物品に対し条体を用いて洗浄その他の処理を行うための処理具に関する。
【背景技術】
【０００２】
特開２００９−１６０１６８号公報には、ブラシ本体３０を支持する支持筒２０の一端部に雌ねじ部２１を設けることにより、雌ねじ部２１及び雄ねじ部１１を螺合して、支持筒２０を通流口Ａに連結し、ブラシ本体３０の摩耗及び変形によって洗浄能力が低下したときに、前記螺合を解除して、ブラシ本体を交換する構成とした洗浄用具の発明が記載されている。
【０００３】
この洗浄用具においては、ブラシ本体が摩耗した場合にはブラシ本体を交換する必要があり、また、洗浄対象の素材や汚れの特性に応じた洗浄を行うには、複数種のブラシを用意し、必要に応じブラシを交換して洗浄を行う必要がある。
【先行技術文献】
【特許文献】
【０００４】
【特許文献１】特開２００９−１６０１６８号公報
【発明の概要】
【発明が解決しようとする課題】
【０００５】
本発明は、交換を行うことなく、磨耗に対処し得ると共に対象物品の特性や行う処理の内容に適合したものとすることができる処理具を提供することを目的とする。
【課題を解決するための手段】
【０００６】
本発明の処理具は、次のように表すことができる。
【０００７】
(1) 条体束をその基部側において保持してなる条体束保持体と、外筒体を備えてなる処理具であって、
前記外筒体は、少なくとも先端側が開口した柱状の孔部である外筒柱状孔部を有し、
前記条体束保持体に前記外筒体が外筒柱状孔部において外嵌され、
前記外筒柱状孔部内に、前記条体束保持体により基部側が保持された条体束の先端側が、各条体の方向がその外筒柱状孔部の軸線方向に沿った状態で満たされ、
前記条体束の先端側における各条体の方向が前記外筒柱状孔部の軸線方向に沿っている場合に、同条体束の全部又は所定部分の束における各条体の先端は、所定の平面において揃うものであり、
前記外筒体は、前記条体束保持体に外嵌された状態で、同条体束保持体に対し軸線方向に変位させ得ると共に軸線方向位置を保持し得、その外筒柱状孔部の先端から前記条体束の先端側を所望の長さ露出させることができることを特徴とする処理具。
【０００８】
外筒体を必要に応じ条体束保持体に対し軸線方向に変位させてその位置を保持させることができるので、外筒体の先端と条体束の先端の位置関係を変えて外筒柱状孔部の先端から条体束の先端側が所望の長さ露出した状態とし、それを保持することができる。
【０００９】
条体束の先端部を外筒柱状孔部の先端から露出させた状態においては、衣類を始めとする布製品やその他の繊維製品又はその他の物品の汚れた部分やその他の所要部分に対し、必要に応じ水、洗剤水溶液、その他の水溶液を始めとする水性液体又はその他液体或いはその他の物質を介在させて、叩く又は擦る等の操作を行うことにより、対象物品に対し洗浄その他の処理を行う上で効果的に用いることができる。
【００１０】
条体束の先端部が磨耗した場合でも、外筒体の先端と条体束の先端の位置関係を調整して対処することができる。
【００１１】
また、条体束の先端側が外筒柱状孔部から露出した部分は、その長さに応じ、外筒柱状孔部の軸線方向にほぼ平行な状態や、外方に広がる状態とすることができ、露出する長さを調整して条体束のうち外筒柱状孔部の先端から露出した部分の束としての硬さを調整することにより、対象物品の特性や行う処理の内容に適合させることができる。
【００１２】
(2) 上記条体束の全部又は所定部分の束を構成する条体が、先端を切り揃えたスプリットヤーンである(1)記載の処理具。
【００１３】
条体束の全部又は所定部分の束を構成する条体が、スプリットヤーン、すなわち、一軸延伸フィルムに縦方向の切れ目（スリット）が多数形成されることにより、幅方向（フィルムの送り方向に直交する方向）に拡げたときに網状となる糸状体、又はこれに類するものの先端を切り揃えたものであるから、前記条体の先端は、フィルムによる細かいエッジ状となり易く、対象物品に対し洗浄その他の処理を行う上で効果的である。
【００１４】
(3) 条体束保持体の外周部に雄ねじ部を有し、外筒体の外筒柱状孔部の内周部に、前記雄ねじ部に螺合する雌ねじ部を有し、
前記外筒体は、その外筒柱状孔部において前記条体束保持体に外嵌された状態で、同条体束保持体に対し、相対的に軸線の回りに回動させることにより軸線方向に無段階に変位させてその軸線方向位置を保持し得、その外筒柱状孔部の先端から前記条体束の先端側を所望の長さ露出させることができる(1)又は(2)記載の処理具。
【００１５】
(4) 条体束保持体が、内筒体と、中間部が緊締されて基端部となされた条体束を有してなり、
前記内筒体は、少なくとも先端側が開口した柱状の孔部である内筒柱状孔部を有し、
前記条体束のうち緊締された中間部が、前記内筒体における内筒柱状孔部の奥側において内筒体に対して固定され、その条体束の先端側のうち、先端から所定長を除く部分が、前記内筒柱状孔部内に、各条体の方向がその内筒柱状孔部の軸線方向に沿った状態で満たされたものである(1)、(2)又は(3)記載の処理具。
【００１６】
条体束のうち緊締された中間部が、内筒体における内筒柱状孔部の奥側において内筒体に対して固定されることにより、その条体束の先端側のうち、先端から所定長を除く部分が、前記内筒柱状孔部内に、各条体の方向がその内筒柱状孔部の軸線方向に沿った状態で満たされ、条体束保持体を構成する。
【００１７】
条体束の先端側のうち、先端から所定長の部分は、内筒柱状孔部の先端側の開口から露出し、外筒体の外筒柱状孔部内に、前記条体束保持体により基部側が保持された条体束の先端側の全部又は少なくとも先端側の部分が、各条体の方向が前記外筒柱状孔部の軸線方向に沿った状態で満たされる。外筒体を条体束保持体に対し軸線方向に変位させることにより、外筒柱状孔部の先端から前記条体束の先端側が所望の長さ露出した状態となり得る。
【００１８】
(5) 上記条体束の先端側における各条体の方向が上記外筒柱状孔部の軸線方向に沿っている場合に、同条体束の全部又は所定部分の束における各条体の先端が、外筒柱状孔部の軸線方向に対し垂直な面において揃う(1)乃至(4)の何れかに記載の処理具。
【発明の効果】
【００１９】
本発明の処理具においては、外筒体を必要に応じ条体束保持体に対し軸線方向に変位させてその位置を保持させ、外筒柱状孔部の先端から条体束の先端側が所望の長さ露出した状態とすることにより、露出した条体束の先端部において、衣類を始めとする布製品やその他の繊維製品又はその他の物品の汚れた部分やその他の所要部分に対し、必要に応じ水、洗剤水溶液、その他の水溶液を始めとする水性液体又はその他液体或いはその他の物質を介在させて、叩く又は擦る等の操作を行うことにより、対象物品に対し洗浄その他の処理を行う上で効果的に用いることができる。
【００２０】
条体束の先端部が磨耗した場合でも、外筒体の先端と条体束の先端の位置関係を調整して対処することができ、また、条体束の先端側が外筒柱状孔部から露出する長さを調整して条体束のうち外筒柱状孔部の先端から露出した部分の束としての硬さを調整することにより、対象物品の特性や行う処理の内容に適合させることができる。
【図面の簡単な説明】
【００２１】
【図１】条体束保持体の拡大組立図である。
【図２】緊締体の要部拡大図である。
【図３】条体束を収納した洗浄具の断面図である。
【図４】条体束を僅かに露出させた洗浄具の断面図である。
【図５】条体束を大きく露出させた洗浄具の断面図である。
【発明を実施するための形態】
【００２２】
[1] 本発明の実施の形態を、図面を参照しつつ説明する。
【００２３】
図面は何れも本発明の実施の形態の一例としての洗浄具についてのものである。
【００２４】
この洗浄具Ｃは、図に模式的に表されている条体束Ｗをその基部側において保持してなる条体束保持体Ｈと、両端が開口した円柱状の孔部である外筒柱状孔部Ｐ１を有する外筒体Ｐからなり、その外筒体Ｐは、外筒柱状孔部Ｐ１において条体束保持体Ｈに外嵌されている。
【００２５】
条体束Ｗを構成する条体は、２０００ｄＴｅｘのポリプロピレンスプリットヤーンである。
【００２６】
条体束保持体Ｈは、先端側が軸線方向に垂直に開口する円柱状の孔部である内筒柱状孔部Ｊ１を有する内筒体Ｊと、中間部が緊締体Ｆにより緊締されて基端部となされた条体束Ｗと、固定部材Ｇと、キャップ体Ｋを有してなる。
【００２７】
緊締体Ｆは、可撓性の帯状部Ｆ２とその帯状部Ｆ２を挿通する挿通部Ｆ３（挿通するための孔部Ｆ３ｘを有する部分）とがポリアミド樹脂により一体成形されたものである。帯状部Ｆ２を挿通部Ｆ３に挿通することにより、それらの帯状部Ｆ２と挿通部Ｆ３が環状をなして緊締部Ｆ１を構成すると共に、帯状部Ｆ２のうち緊締部Ｆ１を構成しない部分が延設部Ｆ４を構成する。
【００２８】
この帯状部Ｆ２の片面に、その軸線に沿って多数連続的に設けられた係合歯Ｆ２ａと、挿通部Ｆ３に設けられた係止部Ｆ３ａが、帯状部Ｆ２が挿通部Ｆ３に対し緊締部Ｆ１を締める向きと逆向きに移動することを防ぐ緊締用係合部を構成する。各係合歯Ｆ２ａは、帯状部Ｆ２の片面において軸線に直交する方向の突条状に形成されている。係止部Ｆ３ａは、片持梁状の支持部Ｆ３ｂの端部に、係合歯Ｆ２ａに係止し得る係止歯Ｆ３ｃを有してなる。係止部Ｆ３ａにおける支持部Ｆ３ｂは、帯状部Ｆ２が挿通部Ｆ３に対し緊締部Ｆ１を締める向きに移動する場合には係止歯Ｆ３ｃが各係合歯Ｆ２ａを係止しないように弾性的に撓み変形し、帯状部Ｆ２が挿通部Ｆ３に対しそれと逆向きに移動する場合には実質上撓み変形せず係止歯Ｆ３ｃが各係合歯Ｆ２ａを係止する。
【００２９】
よって、帯状部Ｆ２を、挿通部Ｆ３に対し緊締部Ｆ１を締める向きに移動させることにより、緊締部Ｆ１は、条体束Ｗを緊締する内周の長さを漸次縮小させて締め付けることができる。緊締部Ｆ１により条体束Ｗを締め付けることにより緊締部Ｆ１が縮小すると同時に緊締部Ｆ１を構成していた部分が延設部Ｆ４の一部になって延設部Ｆ４が延長される。
【００３０】
内筒体Ｊは、全体として円筒状をなし、図における内部の上方寄りの位置に隔壁部Ｊ２を有する。
【００３１】
内筒体Ｊの内部のうち、隔壁部Ｊ２より先端側（図における下端側）の部分が、先端側が開口した柱状の孔部である内筒柱状孔部Ｊ１であり、内筒柱状孔部Ｊ１の奥側の隔壁部Ｊ２より基部側（内筒柱状孔部Ｊ１から見て外部側であり、図における上側）の部分が、基端側が開口した柱状の孔部である基部側柱状孔部Ｊ６である。
【００３２】
内筒体Ｊの外周部のうち隔壁部Ｊ２よりも下方の部分には、雄ねじ部Ｊ３が設けられている。
【００３３】
隔壁部Ｊ２には、内筒柱状孔部Ｊ１から軸線方向他方（図における上方）へ向かい貫通する挿入孔Ｊ４が設けられている。挿入孔Ｊ４は、緊締体Ｆの帯状部Ｆ２が構成する延設部Ｆ４が挿入され得るものである。更に、隔壁部Ｊ２の内筒柱状孔部Ｊ１側には、挿入孔Ｊ４に延設部Ｆ４が挿入された状態において緊締体Ｆの挿通部Ｆ３が収まる収容部Ｊ５が設けられている。
【００３４】
固定部材Ｇは、緊締体Ｆの挿通部Ｆ３と同様の構成であり、緊締体Ｆの帯状部Ｆ２が構成する延設部Ｆ４が挿入され得る挿入部を備えており、緊締体Ｆの帯状部Ｆ２に、その軸線に沿って多数連続的に設けられた係合歯Ｆ２ａと、固定部材Ｇの挿入部に設けられた係止部が、帯状部Ｆ２が構成する延設部Ｆ４が固定部材Ｇの挿入部に対し挿入の向きと逆向きに移動することが防がれる固定用係合部を構成する。
【００３５】
条体束Ｗを緊締した緊締体Ｆにおける帯状部Ｆ２のうち延設部Ｆ４を、内筒体Ｊにおける内筒柱状孔部Ｊ１の奥側の挿入孔Ｊ４に挿通して基部側柱状孔部Ｊ６（図における隔壁部Ｊ２の上側）に突出させ、更に、その延設部Ｆ４を、固定部材Ｇの挿入部に挿通して逆側から突出させる。
【００３６】
その上で、固定部材Ｇを挿通して逆側から突出した延設部Ｆ４を引きながら固定部材Ｇを隔壁部Ｊ２の基部側柱状孔部Ｊ６側まで押し込むことにより、条体束Ｗのうち緊締部Ｆ１により緊締された中間部を含む部分が条体束Ｗの側方において内筒体Ｊの内筒柱状孔部Ｊ１の開口からその内筒柱状孔部Ｊ１内に挿入されて条体束Ｗのうち緊締部Ｆ１により緊締された中間部が内筒柱状孔部Ｊ１の奥側において内筒体Ｊに対し固定された状態とすることができる。
【００３７】
延設部Ｆ４が内筒体Ｊの挿入孔Ｊ４及び固定部材Ｇの挿入部に対し挿入の向きに移動する場合には、固定部材Ｇの挿入部に設けられた係止部が、帯状部Ｆ２の軸線に沿って多数連続的に設けられた係合歯Ｆ２ａに係止しないように弾性的に変形し、延設部Ｆ４がそれと逆向きに移動する場合は固定部材Ｇの係止部が係合歯Ｆ２ａに係止する。そのため、内筒体Ｊの挿入孔Ｊ４を通じて基部側柱状孔部Ｊ６側に突出した延設部Ｆ４が基端側へ引かれて条体束Ｗのうち緊締部Ｆ１により緊締された中間部を含む部分が内筒柱状孔部Ｊ１の奥側において内筒体Ｊに対し固定された状態が緩むことが防がれる。内筒体Ｊの挿入孔Ｊ４及び固定部材Ｇの挿入部に挿通して内筒体Ｊの基部側柱状孔部Ｊ６側に突出した延設部Ｆ４は、適宜切断することができる。
【００３８】
このようにして、条体束Ｗのうち緊締された中間部が、前記内筒体Ｊにおける内筒柱状孔部Ｊ１の奥側において内筒体Ｊに対して固定されることにより、その条体束Ｗの先端側のうち、先端から所定長を除く部分Ｗ１が、内筒柱状孔部Ｊ１内に、各条体の方向がその内筒柱状孔部Ｊ１の軸線方向に沿った状態で満たされ、条体束Ｗのうち先端から所定長の部分Ｗ２が内筒柱状孔部Ｊ１の先端から露出したものとすることができる。
【００３９】
外筒体Ｐは、円筒状をなし、その内部、すなわち両端が開口した円柱状の孔部である外筒柱状孔部Ｐ１の内周部に、内筒体Ｊの雄ねじ部Ｊ３に螺合する雌ねじ部Ｐ２を有する。
【００４０】
キャップ体Ｋは、有底円筒形状をなし、開口部側において内筒体Ｊの雄ねじ部Ｊ３を有する部分よりも基部側に外嵌されて内筒体Ｊに結合している。
【００４１】
外筒体Ｐは、その雌ねじ部Ｐ２が内筒体Ｊの雄ねじ部Ｊ３に螺合して外筒柱状孔部Ｐ１において条体束保持体Ｈに外嵌され、外筒柱状孔部Ｐ１内に、条体束保持体Ｈにより基部側が保持された条体束Ｗのうち先端から所定長の部分Ｗ２が、各条体の方向がその外筒柱状孔部Ｐ１の軸線方向に沿った状態で満たされ得る。
【００４２】
条体束Ｗを構成するスプリットヤーンの先端は、外筒柱状孔部Ｐ１内において（すなわち条体束Ｗの先端側における各スプリットヤーン［条体］の方向が外筒柱状孔部Ｐ１の軸線方向に沿っている状態において）外筒柱状孔部Ｐ１の軸線方向に垂直な面において揃うように（すなわち図３に示される状態において外筒柱状孔部Ｐ１の先端開口に沿うように）切り揃えられている。
【００４３】
外筒体Ｐを条体束保持体Ｈに対し、相対的に軸線の回りに回動させることにより、雄ねじ部Ｊ３に対し雌ねじ部Ｐ２が相対的に回動して外筒体Ｐを条体束保持体Ｈに対し軸線方向に無段階に変位させると共にその軸線方向位置を保持し得、外筒柱状孔部Ｐ１の先端から条体束Ｗの先端側を図４又は図５に示すように所望の長さ露出させることができる。
【００４４】
外筒体Ｐを必要に応じ条体束保持体Ｈに対し軸線方向に変位させてその位置を保持させることができるので、外筒体Ｐの先端と条体束Ｗの先端の位置関係を変えて外筒柱状孔部Ｐ１の先端から条体束Ｗの先端側が所望の長さ露出した状態とし、それを保持することができる。
【００４５】
条体束Ｗの先端部を外筒柱状孔部Ｐ１の先端から露出させた状態においては、衣類を始めとする布製品の汚れた部分等に対し、必要に応じ洗剤水溶液等を介在させて、叩く又は擦る等の操作を行うことにより、対象物品に対し洗浄処理を行う上で効果的に用いることができる。
【００４６】
条体束Ｗの先端部が磨耗した場合でも、外筒体Ｐの先端と条体束Ｗの先端の位置関係を調整して対処することができる。
【００４７】
また、条体束Ｗの先端側のうち外筒柱状孔部Ｐ１から露出した部分は、その長さに応じ、図４に示すように外筒柱状孔部Ｐ１の軸線方向にほぼ平行な状態や、図５に示すように外方に広がる状態とすることができ、露出する長さを調整して、条体束Ｗのうち外筒柱状孔部Ｐ１の先端から露出した部分の束としての硬さを調整（露出長さを短くすることにより束として硬く、露出長さを長くすることにより束として軟らかく）することにより、対象物品や汚れの特性や洗浄の内容に適合させることができる。
【００４８】
[2] 本発明の実施の形態を、上記以外の形態を含めて更に説明する。
【００４９】
本発明の処理具は、対象物品に対し、洗浄その他の処理（例えば、磨き、研磨等）を行うためのものであり、条体束をその基部側において保持してなる条体束保持体と、少なくとも先端側が開口した柱状の孔部である外筒柱状孔部を有する外筒体を備える。
【００５０】
前記外筒体は、外筒柱状孔部において前記条体束保持体に外嵌され、
前記外筒柱状孔部内に、前記条体束保持体により基部側が保持された条体束の先端側が、各条体の方向がその外筒柱状孔部の軸線方向に沿った状態で満たされ、
前記条体束の先端側における各条体の方向が前記外筒柱状孔部の軸線方向に沿っている場合に、同条体束の全部又は所定部分の束における各条体の先端は、所定の平面において揃い、
前記外筒体は、前記条体束保持体に外嵌された状態で、同条体束保持体に対し軸線方向に変位させ得ると共に軸線方向位置を保持し得、その外筒柱状孔部の先端から前記条体束の先端側を所望の長さ露出させることができる。
【００５１】
(1) 条体束は、多数の同種又は複数種（例えば素材、太さ、その他の種類）の条体からなるものとすることができる。
【００５２】
条体束を構成する条体の例としては、スプリットヤーン（例えばポリプロピレン等の親油性ポリマーからなるもの）、合成繊維モノフィラメントヤーン、獣毛等を挙げることができる。
【００５３】
本発明において好適な条体としては、先端を切り揃えた（実質上同一の又は複数種［厚さ、幅、素材等］の）スプリットヤーンを挙げることができる。
【００５４】
スプリットヤーンは、一軸延伸フィルムに縦方向の切れ目（スリット）が多数形成されることにより、幅方向（フィルムの送り方向に直交する方向）に拡げたときに網状となる糸状体、又はこれに類するものである。
【００５５】
本発明において条体として用いるスプリットヤーンとしては、例えば５００乃至５０００ｄＴｅｘのものを挙げることができる。好適には１０００乃至３０００ｄＴＸ、例えば２０００ｄＴｅｘである。
【００５６】
また前記スプリットヤーンとしては、例えばスリット幅が０．４乃至０．７ｍｍのものを用いることができる。
【００５７】
前記スプリットヤーンの原材料であるフィルムのロックウェル硬さとしては、用途に応じ、例えば８５乃至１１０ＨＲＣのものを用いることができる。
【００５８】
前記モノフィラメントヤーンとしては、例えばポリエステル系、ポリプロピレン系、ポリエチレン系等の１乃至１０００デニール、好ましくは１０デニール乃至３００デニールのものを挙げることができる。
【００５９】
これらのスプリットヤーンやモノフィラメントヤーンは、抗菌剤を含有するものとしてすることができ、これによりカビや細菌の繁殖を防ぎ得るものとすることができる。
【００６０】
(2) 条体束保持体は、条体束の基部側において同条体束を保持してなるものである。
【００６１】
(2-1) 条体束保持体は、例えば、条体束の先端部に、条体束を構成する各条体の先端（自由端）が位置し、条体束の基部に、条体束を構成する各条体の基端（自由端）が位置し、それらの条体が基部側において緊締されたものを挙げることができる。
【００６２】
(2-2) また、条体束保持体の他の例として、少なくとも先端側が開口した柱状の孔部である内筒柱状孔部を有する内筒体と、中間部が緊締されて基端部となされた条体束を有してなり、前記条体束のうち緊締された中間部が、前記内筒体における内筒柱状孔部の奥側において内筒体に対して固定され、その条体束の先端側のうち、先端から所定長を除く部分が、前記内筒柱状孔部内に、各条体の方向がその内筒柱状孔部の軸線方向に沿った状態で（好ましくは平行状に）満たされたものを挙げることができる。
【００６３】
上記内筒体の例としては、全体が筒状をなし内部が内筒柱状孔部であるものであって、先端側のみが開口するものや、両端が開口するもの、先端側が開口し基端側は部分的に開口するもの又は貫通孔を有するもの等を挙げることができる。
【００６４】
内筒体における内筒柱状孔部の軸線方向に垂直な断面形状は、例えば、円、楕円、多角形等とすることができるが、円が好ましい。
【００６５】
内筒体（少なくとも内筒柱状孔部を構成する部分）は、本発明の処理具を洗浄その他の処理（例えば、磨き、研磨等）に用いる場合に実質的な変形を生じない程度の剛性を有することが望ましく、例えば、合成樹脂、金属等からなるものとすることができるが、これに限るものではない。
【００６６】
前記のような、条体束が、各条体の方向が内筒柱状孔部の軸線方向に沿った状態で内筒柱状孔部内に満たされた場合については、先ず、一例として、条体束を構成する条体が、内筒柱状孔部の軸線方向に垂直な断面において内筒柱状孔部内に、好ましくは可及的に均等に、分散し又は充填された状態を挙げることができる。次に、前記場合においては、条体束の外周に位置する条体は内筒柱状孔部の内周面にほぼ接する状態となるのが一般的である。また、前記場合における内筒柱状孔部内における条体の密度は、幅が有り得る。このような密度の上限は、条体束と内筒柱状孔部の内周面との間隙及び条体束を構成する条体同士の間隙が最小である場合である。
【００６７】
なお、内筒体には、例えば基部側に別部材を連結することもできる。
【００６８】
(2-3) 前記のように、条体束のうち緊締された中間部が、前記内筒体における内筒柱状孔部の奥側において内筒体に対して固定される態様の例としては、
条体束を緊締する緊締部とその緊締部から延びる延設部を有する緊締体と、
先端側が開口した柱状の孔部である内筒柱状孔部を有し、内筒柱状孔部の奥側に挿入孔を有する内筒体を備え、
前記条体束が中間部において前記緊締体の緊締部により緊締され、
その緊締体の延設部が前記内筒体の挿入孔に挿入された状態（条体束は挿入孔に挿入されない状態）で、緊締体の延設部と内筒体が固定されているものを挙げることができる。
【００６９】
緊締体の延設部と内筒体が固定される例としては、緊締体の延設部が内筒体における内筒柱状孔部の奥側の挿入孔に挿入された状態において前記延設部が前記挿入孔に対し挿入の向きと逆向きに移動することを防ぎ得る固定用係合部を備え、
その固定用係合部により前記延設部が前記挿入孔に対し挿入の向きと逆向きに移動することが防がれることにより、緊締体の延設部と内筒体が固定されるものを挙げることができる。
【００７０】
この場合の緊締体の延設部と内筒体の固定の例としては、内筒体における内筒柱状孔部の奥側の挿入孔が外部側へ貫通しており、上記延設部が前記挿入孔を通じて前記外部側に達し得、
前記外部側において前記延設部が挿入され得る挿入部を備えた固定部材を有し、
前記延設部と前記固定部材の挿入部に上記固定用係合部が設けられ、
前記挿入孔を挿通した前記延設部が前記外部側において前記固定部材の挿入部に挿入され、その固定部材における挿入部の挿入口側が内筒体により支持された状態で、前記固定用係合部により前記延設部が前記挿入孔に対し挿入の向きと逆向きに移動することが防がれることにより、緊締体の延設部と内筒体が固定されるものを挙げることができる。
【００７１】
また、前記の場合の緊締体の延設部と内筒体の固定の別の例として、上記延設部と上記内筒体における内筒柱状孔部の奥側の挿入孔に上記固定用係合部が設けられ、上記延設部が挿入孔に挿入されて前記固定用係合部により延設部が挿入孔に対し挿入の向きと逆向きに移動することが防がれることにより、緊締体の延設部と内筒体が固定されるものを挙げることができる。
【００７２】
上記緊締体は、帯状部とその帯状部を挿通する挿通部とを一体状に有してなるものであり、
前記帯状部が前記挿通部に挿通された状態において、それらの帯状部と挿通部が環状をなして上記緊締部を構成すると共に、帯状部のうち緊締部を構成しない部分が上記延設部を構成し、前記帯状部と前記挿通部には、帯状部が挿通部に対し前記緊締部を締める向きと逆向きに移動することを防ぐ緊締用係合部が設けられているものとすることができる。
【００７３】
(3) 外筒体は、少なくとも先端側が開口した柱状の孔部である外筒柱状孔部を有するものである。外筒体の例としては、全体が筒状をなし内部が外筒柱状孔部であるものであって、先端側のみが開口するものや、両端が開口するもの、先端側が開口し基端側は部分的に開口するもの等を挙げることができる。
【００７４】
外筒体における外筒柱状孔部の軸線方向に垂直な断面形状は、例えば、円、楕円、多角形等とすることができるが、円が好ましい。
【００７５】
外筒体（少なくとも外筒柱状孔部を構成する部分）は、本発明の処理具を洗浄その他の処理（例えば、磨き、研磨等）に用いる場合に実質的な変形を生じない程度の剛性を有することが望ましく、例えば、合成樹脂、金属等からなるものとすることができるが、これに限るものではない。
【００７６】
(4) 外筒体が外筒柱状孔部において条体束保持体に外嵌され、外筒柱状孔部内に、条体束保持体により基部側が保持された条体束の先端側が、各条体の方向がその外筒柱状孔部の軸線方向に沿った（好ましくは平行な）状態で満たされた場合ついては、先ず、一例として、条体束を構成する条体が、外筒柱状孔部の軸線方向に垂直な断面において外筒柱状孔部内に、好ましくは可及的に均等に、分散し又は充填された状態を挙げることができる。次に、前記場合においては、条体束の外周に位置する条体は外筒柱状孔部の内周面にほぼ接する状態となるのが一般的である。また、前記場合における外筒柱状孔部内における条体の密度は、幅が有り得る。このような密度の上限は、条体束と外筒柱状孔部の内周面との間隙及び条体束を構成する条体同士の間隙が最小である場合である。
【００７７】
(5) 条体束の先端側における各条体の方向が前記外筒柱状孔部の軸線方向に沿っている場合に、同条体束の全部又は所定部分の束（例えば軸線方向に垂直な断面のうち全断面積の１０乃至９５％［好ましくは３０乃至９５％］の部分の束、より具体的な例としては、軸線方向に垂直な断面における所定半径の円周内の条体の束）における各条体の先端は、所定の平面（外筒柱状孔部の軸線方向に対し所定角度［好ましくは垂直］の平面）において揃うものである。
【００７８】
外筒柱状孔部の先端は、例えば、前記所定の平面に平行なものとすることができる。好ましい例としては、前記所定の平面及び外筒柱状孔部の先端が何れも外筒柱状孔部の軸線方向に対し垂直であるものを挙げることができる。
【００７９】
(6) 外筒体は、条体束保持体に外嵌された状態で、同条体束保持体に対し軸線方向に（好ましくは無段階に、又は、例えば１乃至２ｍｍ以下毎の多段階に）変位させ得ると共に軸線方向位置を保持し得、その外筒柱状孔部の先端から条体束の先端側を所望の長さ露出させることができる。
【００８０】
例えば、条体束保持体の外周部に雄ねじ部を有し、外筒体の外筒柱状孔部の内周部に、前記雄ねじ部に螺合する雌ねじ部を有し、
前記外筒体は、その外筒柱状孔部において前記条体束保持体に外嵌された状態で、同条体束保持体に対し、相対的に軸線の回りに回動させることにより軸線方向に無段階に変位させてその軸線方向位置を保持し得、その外筒柱状孔部の先端から前記条体束の先端側を所望の長さ露出させることができるものとすることができる。
【００８１】
(7) 本発明の処理具は、例えば条体束保持体若しくは外筒体の基端部又はその他の位置に洗浄液、水、又はその他の処理液等を貯留する貯留部を有し、その液体が前記貯留部から条体束を通じて条体束の先端部まで供給され、処理に用いられるものとすることができる。
【符号の説明】
【００８２】
Ｃ      洗浄具
Ｆ      緊締体
Ｆ１    緊締部
Ｆ２    帯状部
Ｆ２ａ  係合歯
Ｆ３    挿通部
Ｆ３ａ  係止部
Ｆ３ｂ  支持部
Ｆ３ｃ  係止歯
Ｆ３ｘ  孔部
Ｆ４    延設部
Ｇ      固定部材
Ｈ      条体束保持体
Ｊ      内筒体
Ｊ１    内筒柱状孔部
Ｊ２    隔壁部
Ｊ３    雄ねじ部
Ｊ４    挿入孔
Ｊ５    収容部
Ｊ６    基部側柱状孔部
Ｋ      キャップ体
Ｐ      外筒体
Ｐ１    外筒柱状孔部
Ｐ２    雌ねじ部
Ｗ      条体束
Ｗ１    先端から所定長を除く部分
Ｗ２    先端から所定長の部分
【図１】
2015112273.tif 000003
【図２】
2015112273.tif 000004
【図３】
2015112273.tif 000005
【図４】
2015112273.tif 000006
【図５】
2015112273.tif 000007